(57)【特許請求の範囲】
【請求項１】
少なくとも２個の主車輪（６，６）を備えるカート（１）の機枠（１ａ）上に支持フレーム（３）を起立させて設け、その支持フレーム（３）に液体散布竿（４）を側方に張り出すように取り付けたカート式液体散布装置であって、前記機枠（１ａ）の中心に配置される前後方向に延びた水平配置の１本のピボット軸（１１）と、そのピボット軸を共通の軸にして内端を機枠に回動可能に連結した２本の相反する向きの車軸（５，５）と、下端を前記ピボット軸（１１）と平行な連結ピン（１２）を用いて前記ピボット軸（１１）による機枠(１ａ）への車軸連結点と車軸外端との間において各車軸（５，５）に回動可能に連結し、さらに、上端側を前記機枠（１ａ）にスライド可能に挿通する起立したガイドロッド（９）と、各ガイドロッド（９、９）の外周に装着されて前記車軸（５）と前記機枠（１ａ）との間に介在され、前記車軸（５）が上向きに回動するときに圧縮される緩衝用のばね（１０）を組み合わせた懸架装置（２）を設け、その懸架装置（２）の前記車軸（５，５）の外端に前記主車輪（６，６)を取り付けた懸架装置を備えたカート式液体散布装置。
【請求項２】
前記カート（１）に、２個の主車輪（６，６）と一緒になって装置を３点支持する懸架装置を伴った補助輪（２２）を含ませた請求項１に記載の懸架装置を備えたカート式液体散布装置。
【請求項３】
２個が対をなす主車輪（６，６）を前後に位置を変えて複数組設け、各主車輪に前記懸架装置（２）を伴わせた請求項１に記載の懸架装置を備えたカート式液体散布装置。
【発明の詳細な説明】
【技術分野】
【０００１】
この発明は、懸架装置を備えたカートと、噴霧ノズルのついた液体散布竿を組み合わせて構成されるカート式液体散布装置に関する。
【背景技術】
【０００２】
殺虫剤の噴霧などに利用される既知のカート式液体散布装置の中に、車輪とハンドルを備えるカートに、起立した支持フレームを設け、その支持フレームに液体散布竿を取り付けた首記のカート式液体散布装置がある。そのカート式液体散布装置の従来例として、例えば、下記特許文献１に示されるようなものがある。
【０００３】
このカート式液体散布装置は、簡易式の液体散布車と言えるものであって、作業者が装置を押し引きして移動させながらその装置の支持フレームの側方に張り出させた液体散布竿から、栽培されている植物に薬剤や水などを散布するようになっている。
【０００４】
このカート式液体散布装置は、車輪を２個設けた２輪式カートやそれに補助輪を追加した３輪式カートを組み合わせたものが、１輪式のカートを用いた装置よりも走行安定性に優れる。
【先行技術文献】
【特許文献】
【０００５】
【特許文献１】特開２００１−１４９８３２号公報
【発明の概要】
【発明が解決しようとする課題】
【０００６】
従来の２輪式カートや３輪式カートを用いた液体散布装置は、車輪が固定軸に取り付けられている。そのために、従来の液体散布装置のカートは、田畑などで使用して凹凸のきつい地面を走行させると左右に大きく傾く。
【０００７】
カート式液体散布装置の支持フレームに取り付けられる液体散布竿は、重い上に支持フレームからの左右への張り出し長さが相当長い。それ故に、カートのついた支持フレームで液体散布竿を支持しているのであるが、上述したようにカートが左右に傾くと、バランスを崩して液体散布竿の突端が地面等に接触することが考えられ、液体散布竿の損傷などを招くことが懸念される。
【０００８】
また、地面等への接触が起こらなかったとしても、液体散布竿の傾きによって支持フレームの左右の散布状態に大きな差が生じる。
【０００９】
この発明は、上記の懸念をなくすために使用中の装置の傾きが小さく押さえられて走行中のバランスの崩れが抑制されるようにすることを課題としている。
【課題を解決するための手段】
【００１０】
上記の課題を解決するため、この発明においては、車輪を備えるカートの機枠上に支持フレームを起立させて設け、その支持フレームに液体散布竿を側方に張り出すように取り付けたカート式液体散布装置に以下の構成を付加した。
【００１１】
即ち、機枠中心に配置される前後方向に延びた水平配置の１本のピボット軸と、そのピボット軸を共通の軸にして内端を機枠に回動可能に連結した２本の相反する向きの車軸と
、下端を前記ピボット軸と平行な連結ピンを用いて前記ピボット軸による機枠への車軸連結点と車軸外端との間において各車軸に回動可能に連結し、さらに、上端側を前記機枠にスライド可能に挿通する起立したガイドロッドと、各ガイドロッドの外周に装着されて前記車軸と前記機枠との間に介在され、前記車軸が上向きに回動するときに圧縮される緩衝用のばねを組み合わせた懸架装置を設け、その懸架装置の前記車軸の外端に車輪（説明の便宜上、この発明ではこれを主車輪と言う)を取り付けた。
【００１２】
このカート式液体散布装置は、カートの機枠上の支持フレームにスライダとそのスライダを昇降させる昇降機構とスライダにスライド抵抗を加える抵抗付与手段を設けて前記スライダに液体散布竿を取り付けると、液体散布竿の高さ位置を安全に安定して変更することができる。
【００１３】
また、車輪は基本的には２個あればよいが、２本の車軸の外端にそれぞれ取り付ける主車輪のほかに、補助輪を１輪追加して３輪構造にすることもできる。また、各々が懸架装置を有する主車輪を前後に位置を変えて２組或いはそれ以上設けて４輪や４輪以上の偶数輪構造にすることもできる。
【００１４】
この形態の装置は、一端が水平横向きのピンでカートの機枠に回動可能に連結される補助フレームと、その補助フレームを当該補助フレームの自由端が地面に押し付けられる方向に付勢するばねを設けて補助フレームの自由端に設けた車軸で補助輪を支持するとよい。こうすることで補助輪にもサスペンション機能を付与することができる。
【発明の効果】
【００１５】
この発明の懸架装置を備えるカート式液体散布装置は、各主車輪が個別に上下動可能となっている。このために、主車輪の高さ位置が地面の凹凸に応じて変動し、これにより、支持フレームの傾きが小さく抑えられる。
【００１６】
これにより、液体散布竿が地面などに接触する懸念がなくなり、装置の走行時のバランスが安定して保たれ、走行安定性も確保される。
【００１７】
また、車両の懸架装置は、２本のアームを別々のピボット軸で機枠の左右に取り付け、各アームに設けた車軸に主車輪を取り付ける構造が一般的であるが、この構造では、左右の主車輪間の距離が制限される場合にはピボット軸からガイドロッド設置点までの距離を十分に確保することができず、主車輪の上下動ストロークが制限される。
【００１８】
これに対し、この発明の装置に設けた主車輪の懸架装置は、主車輪を個々に取り付ける２本の車軸の内端を共通のピボット軸でカートの機枠に取り付けている。そのために、ピボット軸からガイドロッド設置点までの距離が一般的構造よりも大きくなり、主車輪の上下動ストロークを大きくして地面の大きな凹凸に対応することが可能になる。
【図面の簡単な説明】
【００１９】
【図１】この発明のカート式液体散布装置の一形態を示す斜視図
【図２】図１のカート式液体散布装置に設けた懸架装置の正面図
【図３】図１のカート式液体散布装置に設けた懸架装置の側面図
【図４】図３のIV−IV線に沿った拡大断面図
【図５】懸架装置の作用説明図
【図６】この発明のカート式液体散布装置の他の形態の要部の概要を示す図
【図７】図６のカート式液体散布装置に設けた懸架装置の要部の部分破断拡大側面図
【発明を実施するための形態】
【００２０】
以下、この発明のカート式液体散布装置の実施の形態を添付図面の図１〜図７に基づいて説明する。
【００２１】
この発明のカート式液体散布装置の第１の形態を図１〜図５に示す。この第１の形態の液体散布装置は、カート１とそのカートに含ませた懸架装置２と、カート１上に設けた支持フレーム３と、その支持フレームで支持した液体散布竿４とからなる。カート１は、２本の相反する向きの車軸５，５と、各車軸の外端に取り付ける２個の主車輪６，６と作業者が手で掴んで押し引きするハンドル７とスタンド８を備えている。
【００２２】
懸架装置２は、車軸５、５とそれらの車軸にそれぞれ連結するガイドロッド９、９と、各ガイドロッド９の外周に装着される緩衝用のばね１０を組み合わせて構成されている。
【００２３】
支持フレーム３は、カート１の機枠１ａ上に起立して設けられており、その支持フレーム３に液体散布竿４が左右に張り出すように取り付けられている。なお、例示の液体散布装置は、支持フレーム３を境にして液体散布竿４のある側を前、スタンド８のある側を後と考える。
【００２４】
支持フレーム３は、２本のポールを平行に横に並べて連結したものであって、この支持フレーム３の下部に手で掴んで押し引きするハンドル７が連結され、さらに、この支持フレーム３の下端に、支持フレーム３をハンドル７のある側に傾斜させたときに地面に接触して２個の主車輪６、６と一緒になって装置を３点支持する上記スタンド８が取り付けられている。例示の装置は、３点支持によって自立可能となっている。
【００２５】
液体散布竿４は、噴管４ａに対して複数個の噴霧ノズル４ｂを噴管長手方向に適当な間隔をあけて取り付けた周知の竿である。
【００２６】
次に、この発明を特徴づける懸架装置２は、図２、図５に示すように、車軸５、５の内端を、カート１の機枠１ａの中心に配置される前後方向に延びた水平配置のピボット軸１１で機枠１ａに回動可能に連結し、その車軸５、５に緩衝機能を付与したものになっている。
【００２７】
この懸架装置２は、２本の車軸５、５を１本のピボット軸１１を共通の軸として用いて機枠１ａの中心部に連結しており、この点が、通常考えられる懸架装置と大きく異なっている。
【００２８】
ガイドロッド９、９は、ピボット軸１１による車軸５の機枠１ａへの連結点と車軸５の外端との間に配置されている。このガイドロッド９は、起立させて上端側を機枠１ａに設けたガイド孔１ｂ（図２、図３参照）に傾きを許容する遊びがある状態でスライド可能に挿通し、さらに、ピボット軸１１と平行な連結ピン１２を用いて各車軸５に下端を回動可能に連結している。
【００２９】
ガイドロッド９の外周に装着したばね１０は、車軸５と機枠１ａとの間に介在されており、主車輪６が凸部などに乗り上げて車軸５が上向きに回動するときに図５のように圧縮される。
【００３０】
図２の１３は、機枠１ａに設けた位置固定のストッパである。このストッパ１３は、車軸５の上向き回動量を規制する目的で設けられている。このストッパ１３は好ましい要素であるが、装置の重量やばね１０の弾発力次第では省くこともあり得る。
【００３１】
なお、例示の液体散布装置には、支持フレーム３の高さ方向途中に位置固定のギヤケース１４を設けている。また、そのギヤケース１４よりも下側において支持フレーム３に下部スライダ１５を昇降可能に取り付け、さらに、ギヤケース１４よりも上側において支持フレーム３に上部スライダ１６を昇降可能に取り付けている。
【００３２】
下部スライダ１５の両側には、左右に水平に延びだす２本の棒状の支持アーム１７（図１参照）が回動支点になる支軸１８を用いて起立可能に結合されており、その２本の支持アーム１７に、液体散布竿４がそれぞれ取り付けられている。
【００３３】
図１の１９は、蝶ねじなどを使用して上端を上部スライダ１６に対して着脱自在に取り付け、下端を支持アーム１７の長手途中に取り付けられた接続金具２０に対して回動自在にピン結合させた吊下リンクである。
【００３４】
図示の液体散布竿４は、長さが長いため、吊下リンク１９を設けてその竿の支持安定性を高めたが、吊下リンク１９は必須の要素ではない。支持アーム１７も好ましい要素に過ぎず、液体散布竿４を未使用時に起立可能となすことも、装置の保管、運搬などの面で好ましいに過ぎない。
【００３５】
ギヤケース１４の内部にはピニオン（図示せず）とスライド抵抗付与手段（これも図示せず）が組み込まれている。
【００３６】
ギヤケース１４の内部のピニオンは、下部スライダ１５と上部スライダ１６との間に架け渡された可動ラック２１に噛合させており、ギヤケース１４の後部外側に設けられた手回しハンドル（図示せず）を操作してピニオンを回転させると可動ラック２１が下部スライダ１５と上部スライダ１６を伴って昇降し、これにより、液体散布竿４の高さ位置を変更できるようになっている。
【００３７】
ギヤケース１４の内部のスライド抵抗付与手段は、可動ラック２１にスライド抵抗を付与するものであって、可動ラックを伴った液体散布竿４の急激な落下を防止する目的で設けられている。
【００３８】
なお、上下のスライダ、ピニオン、ラック、ピニオンの回転操作用のハンドルなどからなる液体散布竿用昇降機構や液体散布竿落下防止用の抵抗付与手段は、どちらも好ましい要素に過ぎない。
【００３９】
このように構成したこの発明のカート式液体散布装置は、薬剤などを散布する際に地面の凹凸に応じて左右の主車輪６が上下に動き（図５参照）、これにより、装置の極端な傾きやそれによるバランスの崩れが阻止される。
【００４０】
この発明の液体散布装置の第２の形態を図６及び図７に示す。この第２の形態の液体散布装置は、第１の形態の装置のスタンド８を補助輪２２に置き換えたものである。装置の上側の構造は図１と同じであるので、図６、図７では上側は示していない。スタンド８に代えて補助輪２２を設けても、主車輪と補助輪によって装置の自立のための３点支持が行える。
【００４１】
カートの機枠１ａの下部に、横向きの水平なピボット軸２３を支点にして回動するＬ形リンク２４を取り付け、そのＬ形リンク２４の下端側に設けた車軸２５に補助輪２２を取り付けている。
【００４２】
また、サブガイドロッド２６をＬ形リンク２４に揺動可能にピン結合させて設け、そのサブガイドロッド２６を機枠１ａに設けたばね受け２７に傾きの許容される遊びを持ってスライド可能に挿通している。
【００４３】
そしてさらに、そのサブガイドロッド２６の外側に装着したばね２８をＬ形リンク２４とばね受け２７との間に介在し、Ｌ形リンク２４が、補助輪２２が押し上げられる方向に回動したときに、そのばね２８が圧縮されるようにして補助輪２２にもサスペンション機能を付与している。
【００４４】
なお、その補助輪用の懸架装置は、例示の構造に限定されるものではない。補助輪２２そのものも必要に応じて設けるものであって、必須の要素ではない。
【００４５】
また、以上の説明は、２輪と３輪のカートを有する装置を例に挙げて行ったが、主車輪を４個又はそれ以上の偶数個備える構造の装置もスタンド無しで自立機能を持たせること
ができる。主車輪を４輪以上備えるカートを備えさせる装置は、２個の主車輪を対にし、その対の主車輪にこの発明を特徴づける上記構造の懸架装置を伴わせる。
【符号の説明】
【００４６】
１          カート
１ａ        機枠
１ｂ        ガイド孔
２          懸架装置
３          支持フレーム
４          液体散布竿
４ａ        噴管
４ｂ        噴霧ノズル
５          車軸
６          主車輪
７          ハンドル
８          スタンド
９          ガイドロッド
１０        ばね
１１        ピボット軸
１２        連結ピン
１３        ストッパ
１４        ギヤケース
１５        下部スライダ
１６        上部スライダ
１７        支持アーム
１８        支軸
１９        吊下リンク
２０        接続金具
２１        可動ラック
２２        補助輪
２３        ピボット軸
２４        Ｌ形リンク
２５        車軸
２６        サブガイドロッド
２７        ばね受け
２８        ばね
【図１】
0005572817.tif 000002
【図２】
0005572817.tif 000003
【図３】
0005572817.tif 000004
【図４】
0005572817.tif 000005
【図５】
0005572817.tif 000006
【図６】
0005572817.tif 000007
【図７】
0005572817.tif 000008